(57)【要約】【課題】本発明は、自走式スキャナーの駆動モータを使ってキャリッジに搭載した光源ユニットの冷却を行うことで、特別な専用ファンを配設すること無く、しかもキャリッジの移動位置に関係無く、常に十分な風量をヒートシンクに与えることが出来る画像読取装置の提供。【解決手段】原稿を載置するプラテンと、このプラテンに沿って移動するキャリッジと、このキャリッジの移動で得られる原稿画像を読み取るラインセンサとを備えた画像読取装置において、前記キャリッジは、キャリッジに搭載され前記プラテンの読取面を照射する光源ユニットと、キャリッジに搭載されキャリッジ自身を走行する駆動モータとを有し、前記光源ユニットは、発光体と、この発光体を支持し発光体が発する熱を放熱する熱伝導性の放熱部材とを備え、前記駆動モータは、モータの回転を伝達する駆動伝達手段と、モータの駆動で回転し前記放熱部材を冷却する冷却ファンを備えている。【選択図】図１１
2011188166.tif 000002
【特許請求の範囲】
【請求項１】
原稿を載置するプラテンと、
このプラテンに沿って移動するキャリッジと、
このキャリッジの移動で得られる原稿画像を読み取るラインセンサと、
を備えた画像読取装置において、
前記キャリッジは、
キャリッジに搭載され前記プラテンの読取面を照射する光源ユニットと、
キャリッジに搭載されキャリッジ自身を走行する駆動モータと、を有し、
前記光源ユニットは、
発光体と、
この発光体を支持し発光体が発する熱を放熱する熱伝導性の放熱部材と、を備え、
前記駆動モータは、
このモータの回転を伝達する駆動伝達手段と、
このモータの駆動で回転し前記放熱部材を冷却する冷却ファンと、
を備えたことを特徴とする画像読取装置。
【請求項２】
前記画像読取装置は、キャリッジ停止状態で自動原稿送り装置で供給される原稿を順次読み取る流し読みモードと、プラテン上に載置した原稿を走査して原稿を読取るフラットベット読みモードとを有し、
前記光源ユニットは、前記発光体の光を線状光に変換し原稿を照明する導光体を備え、
前記冷却ファンは、少なくとも停止した状態で原稿を読み取る前記流し読みモードで、前記放熱部材を介し前記プラテンと前記導光体との間に空気の対流を形成して成る請求項１に記載の画像読取装置。
【請求項３】
前記画像読取装置は、キャリッジ停止状態で自動原稿送り装置で供給される原稿を順次読み取る流し読みモードと、プラテン上に載置した原稿を走査して原稿を読取るフラットベット読みモードとを有し、
前記駆動伝達手段は、
前記駆動モータとキャリッジの移動機構との間にクラッチ手段と、
このクラッチ手段を前記流し読みモードとフラットベット読みモードで切り替えるクラッチ切替手段と、を有し、
前記流し読みモード設定時のキャリッジ停止状態で前記冷却ファンのみ回転して成る請求項１及び２に記載の画像読取装置。
【請求項４】
前記光源ユニットの発光体と熱伝導性の放熱部材はキャリッジの両サイドに設けられ、前記冷却ファンは２つの放熱部材の間に配置されるとともに、
前記冷却ファンの風を前記２つの放熱部材に循環させるフード手段を設けて成る請求項２に記載の画像読取装置。
【発明の詳細な説明】
【技術分野】
【０００１】
本発明はスキャナー装置、複写機、ファクシミリ等の画像読取装置における光源ユニットに係わり、読取面に照射する光源機構の改良に関する。
【背景技術】
【０００２】
一般に、スキャナー装置、複写機などの画像読取装置における光源ユニットは読取りプラテンに光源から光を照射し、その反射光を集光して光電変換センサで光電変換する装置として広く知られている。
【０００３】
この光源ユニットとしては、例えば特許文献１に開示されているようにプラテンに沿って移動する走査キャリッジに光源ランプを配置し、この光源ランプから照射した光の反射光を集光レンズで光電変換センサに結像している。そしてこの光電変換センサをラインセンサで構成し、走査キャリッジを副走査方向に移動しながら光源から光を照射してその反射光を光電センサで線順位に読み取っている。
【０００４】
このような構成の画像読取装置では光源ユニットとして主走査方向（ラインセンサの配置方向）に均一の光を照射することが要求される。このため従来は光源ランプとして蛍光ランプ（冷陰極管）、ＬＥＤアレイなどの棒状発光体を使用するか、点光源を読取りラインに沿って乱反射させて所定角度から出射させるロッド光源を使用している。
【０００５】
この光源ユニットとして透光性に優れた導光部材を線状に形成して、その端面から発光ダイオードなどの点光源を入射し、この導光体で線状光を形成して読取面に照射する光源ユニットが知られている。このような光源構造では発光ダイオードをマウントした回路基板に発熱量が集中し、その放熱処理が容易となり、同時にユニットを小型コンパクトに構成することが出来る特徴がある。
【０００６】
このような発光ダイオードを実装した基板を装置、例えばキャリッジユニットに取り付ける場合に、特許文献２には、放熱部材（ヒートシンク）に基板を固定して発光部材に発生した熱を放熱する方法が提案されている。
【０００７】
同様に特許文献３にも放熱部材に発光ダイオードを実装した基板を密着させ、ようにビスで固定した装置が提案されている。また特許文献４にも発光ダイオードを実装した基板をヒートシンクにビスで固定した装置が開示されている。
【先行技術文献】
【特許文献】
【０００８】
【特許文献１】特開２００３−１８３６３号公報（図２）
【特許文献２】特開２００６−５８４８７号公報
【特許文献３】特開２００６−３３１８１７号公報
【特許文献４】特開２００７−２２７７２８号公報
【発明の概要】
【発明が解決しようとする課題】
【０００９】
上述のように発光ダイオードなどの発光体を回路基板上にマウントし、この光を分散させて読取面に線状光として照射する光源ユニットは既に知られている。この場合従来は基板上に局部的に発生する熱をヒートシンクなどで放熱させている。
【００１０】
ところが、画像読取装置ではヒートシンクだけでは十分な放熱が出来ないために、一般に装置本体に冷却用のファンが備えられ、そのファンを使ってヒートシンクに風を送り冷却効率を上げるようにしている。
【００１１】
しかしながら、光源ユニットはキャリッジに搭載され装置内を移動するために、冷却用のファンに近い位置では強い風量で冷却されるものの、ファンに遠い位置では風量が弱く十分な冷却効果を得られないと言った問題があった。
【００１２】
そこで本発明者は、キャリッジを移動走査するモータをキャリッジ自身に搭載した自走式スキャナーの自走モータに着目し、この自走モータを使ってキャリッジに搭載した光源ユニットの冷却が出来ないか案出するに至った。
【００１３】
本発明は、自走式スキャナーの自走モータを使ってキャリッジに搭載した光源ユニットの冷却を行うことで、特別な専用ファンを配設すること無く、しかもキャリッジの移動位置に関係無く、常に十分な風量をヒートシンクに与えることが出来る画像読取装置の提供をその課題としている。
【課題を解決するための手段】
【００１４】
上記課題を達成するため本発明は、原稿を載置するプラテンと、このプラテンに沿って移動するキャリッジと、このキャリッジの移動で得られる原稿画像を読み取るラインセンサと、を備えた画像読取装置において、前記キャリッジは、キャリッジに搭載され前記プラテンの読取面を照射する光源ユニットと、キャリッジに搭載されキャリッジ自身を走行する自走モータとを有し、前記光源ユニットは、発光体と、この発光体を支持し発光体が発する熱を放熱する熱伝導性の放熱部材と、を備え、前記自走モータは、モータの回転を伝達する駆動伝達手段と、モータの回転を使って回転する冷却ファンとを備え、前記放熱部材を前記冷却ファンで冷却するようにしている。
【００１５】
また、本発明は、キャリッジ停止状態で自動原稿送り装置で供給される原稿を順次読み取る流し読みモードと、プラテン上に載置した原稿を走査して原稿を読取るフラットベット読みモードとを有し、前記駆動伝達手段は、前記自走モータとキャリッジの移動機構との間にクラッチ手段と、このクラッチ手段を前記流し読みモードとフラットベット読みモードで切り替えるクラッチ切替手段と、を有し、前記流し読みモード設定時のキャリッジ停止状態で前記冷却ファンのみ回転可能にしている。
【００１６】
更に、前記光源ユニットの発光体と熱伝導性の放熱部材はキャリッジの両サイドに設けられ、前記冷却ファンは２つの放熱部材の間に配置されるとともに、前記冷却ファンの風を前記２つの放熱部材に循環させるフード手段を設けている。
【発明の効果】
【００１７】
本発明は、自走モータに冷却ファンを取り付け、自走モータの回転を利用して冷却ファンを回転し、その冷却ファンで利用して光源ユニットの発光体が発する熱を放熱する熱伝導性の放熱部材を冷却することによって、特別な専用ファンを配設すること無く、しかもキャリッジの移動位置に関係無く、常に十分な風量を放熱部材に与え、放熱部材を冷却することが出来る。
【００１８】
また、自走モータとキャリッジの移動機構との間にクラッチ手段と、このクラッチ手段を前記流し読みモードとフラットベット読みモードで切り替えるクラッチ切替手段とを有し、前記流し読みモード設定時のキャリッジ停止状態で前記冷却ファンのみ回転可能としてことで、フラットベット読みモードだけで無く、流し読みモードでも放熱部材を冷却することが出来る。
【００１９】
更に、前記光源ユニットの発光体と熱伝導性の放熱部材はキャリッジの両サイドに設けられた構造でも、前記冷却ファンを２つの放熱部材の間に配置し、前記冷却ファンの風を前記２つの放熱部材に循環させるフード手段を設けることで、２つの放熱部材を冷却することが出来る。
【図面の簡単な説明】
【００２０】
【図１】本発明に係わる画像読取装置の全体構成の説明図。
【図２】図１の装置における原稿画像を読取る読取キャリッジの構成を示す説明図。
【図３】図１の装置におけるキャリッジの外観構造を示す斜視説明図。
【図４】図３のキャリッジの自走モータ搭載状態を透視した斜視説明図。
【図５】図４の自走モータを取り付けたスライダー部材のキャリッジ取り付け状態を示す斜視説明図。
【図６】図３のキャリッジ搭載される光源ユニットの構成を示す平面図。
【図７】図６の光源ユニットの部分分解斜視図。
【図８】図６の光源ユニットの照明構造を説明する説明図。
【図９】図６の光源ユニットにおける発光体の配置構成図。
【図１０】図８の光源ユニットの光量分布特性を説明する説明図。
【図１１】図７の放熱部材（ヒートシンク）の冷却方法を説明する説明図。
【発明を実施するための形態】
【００２１】
図１に本発明に係わる光源ユニット９を内蔵した画像読取装置Ａの構成を示す。図１に示す装置は画像読取装置Ａと、これに搭載した原稿給送ユニットＢから構成されている。以下画像読取装置Ａと、これに内蔵されたキャリッジ６の構成及び移動機構について順に説明する。
【００２２】
［画像読取装置］
まず画像読取装置Ａは、図１に示すように装置ハウジング１に第１プラテン３と、第２プラテン２を備えている。この第１プラテン３と、第２プラテン２は、ガラスなどの透明素材で形成され、装置ハウジング１の天部に固定されている。そして第１プラテン３は原稿を載置セットする寸法サイズに形成され、第２プラテン２は所定速度で移動する原稿を読み取るようにその幅サイズに形成されている。上記第１プラテン３と、第２プラテン２は図１に示すように互いに並設されている。そして上記装置ハウジング１の内部には画像読取機構が内蔵されている。
【００２３】
この画像読取機構の一例を図２（図１の要部拡大図）に従って説明する。装置ハウジング１内には、第１プラテン３と第２プラテン２との間で位置移動可能にキャリッジ６が配置されている。これと共にキャリッジ６は第１プラテン３に沿って往復動するように後述するガイドシャフト１２に支持されている。
【００２４】
［キャリッジ構成］
キャリッジ６は耐熱性樹脂などで構成されたユニットフレーム１１に光源ユニット９（後述の第１光源ユニット９ａと第２光源ユニット９ｂ）と、原稿からの反射光を偏向する反射ミラー１０（第１ミラー１０ａ、第２ミラー１０ｂ、第３ミラー１０ｃ）と、反射ミラー１０からの光を集光する集光レンズ７と、集光レンズ７で結像される結像部に配置されたラインセンサ８とが搭載されている。そしてラインセンサ８から電気信号として出力された画像データを画像処理部に転送するようにデータ転送ケーブルによって画像処理部（データ処理ボード；不図示）に電気的に接続されている。
【００２５】
［キャリッジの支持機構］
キャリッジ６は、図３で示す様に装置ハウジング１に配置されたガイドシャフト１２にキャリッジ６の一端が軸受けされ、キャリッジ６の他端には図示せぬ従動ローラが配設され平板状のレール部材ＧＬ上を従動可能に保持され、装置ハウジング１に対し往復動自在に支持されている。尚、ガイドシャフト１２とレール部材ＧＬは、装置ハウジング１にそれぞれ並行で、しかも第１プラテン３（第２プラテン２）と並行に取り付けることで、キャリッジ６を第１プラテン３（第２プラテン２）と並行に安定して往復動するように構成している。
【００２６】
［キャリッジの移動機構］
キャリッジ６には図４及び図５で示す様に自走式モータＭＯが搭載され、自走式モータＭＯに駆動連結する歯車列の最終歯車となるピニオン歯車ＰＧが装置ハウジング１に固定支持したラックＬＫと駆動連結させ、自走式モータＭＯの正逆転で図２左右方向に往復動する。
【００２７】
（駆動モータの支持機構）
その駆動モータＭＯは、駆動連結する歯車列とピニオン歯車ＰＧと共に取付ユニット部材ＦＢに支持される。この取付ユニット部材ＦＢにはガイドシャフト１２に嵌合する軸受け部Ｇ１、Ｇ２が駆動モータＭＯの取付部と共に一体成形されている。
【００２８】
（駆動モータの取付手順）
そして、まず駆動モータＭＯと駆動連結する歯車列とピニオン歯車ＰＧとがそれぞれ組み込まれユニット化された取付ユニット部材ＦＢをキャリッジ６の所定箇所に止めビスやブッシュ等の固定部材ＫＴで固定する。次に、取付ユニット部材ＦＢの軸受け部Ｇ１、Ｇ２をガイドシャフト１２に嵌合した状態で、事前に装置ハウジング１に取り付けて有るレール部材ＧＬにキャリッジ６の他端を支持させながら、ガイドシャフト１２を装置ハウジング１に取り付ける。その後、ピニオン歯車ＰＧに歯合させたラックＬＫをガイドシャフト１２を取付基準として装置ハウジング１に取り付け組込を完成させる。
【００２９】
［光源ユニット］
次に、キャリッジ６に搭載され読取面Ｒに光を照射する光源ユニット９について説明する。光源ユニット９は、読取面Ｒの読取りライン（図２に示す読取面Ｒと直交する主走査方向読取り幅）に線状光を照射する。この光源ユニット９は図２に示す第１光源ユニット９ａと第２光源ユニット９ｂを搭載する構成で、その第１、第２光源ユニット９ａ、９ｂは、それぞれ導光体３０と発光体４０で構成され、図６で示すキャリッジ６のユニットフレーム１１に搭載されている。そしてその組み立て分解図である図７に示す様に、第１、第２光源ユニット９ａ、９ｂは、キャリッジ６に固定される光源収容部（導光体支持枠）１３に形成された第１収容部１３ａと第２収容部１３ｂにそれぞれ収容される。
【００３０】
また、図７に示す様に、キャリッジ６のユニットフレーム１１には放熱部材１４が一体形成されている。この放熱部材１４に耐熱シート（耐熱樹脂板）１５を介して回路基板１６が固定されている。図示の１７は回路基板１６を支持するバックアッププレートであり、回路基板１６は放熱部材（ヒートシンク）１４にバックアッププレート１７で一体的に取付けられている。以下、各部品について説明する。
【００３１】
［導光体の構成］
まず、導光体３０は、図７及び図８に示すように読取面Ｒの読取幅（読取りライン幅）Ｗに応じた長さの棒状透光部材で構成されている。導光体３０は例えば透明アクリル樹脂、エポキシ樹脂などの透光性に富んだ材料で構成され、その断面形状は矩形状、或いは図示のように断面扇形状に構成され、その端面３１Ｌには発光体４０が配置され、端面３１Ｒには反射体ＭＲが配置されている。そしてこの導光体３０には光散乱面３２と光出射面３３が互いに対向するように配置されている。
【００３２】
つまり図８に示すように光散乱面３２と光出射面３３は距離Ｌｄを隔てて略並行に読取りライン幅Ｗの長さで対向配置されている。光散乱面３２は塗装加工、エッチング加工、モールド成形加工などで凹凸面に形成され発光体４０から導入された光を乱反射するように表面加工されている。また光出射面３３は透光性に富んだレンズ表面のように表面仕上げされている。
【００３３】
従って導光体３０内に導入された発光体４０の光は光散乱面３２で所定方向に拡散され、光出射面３３に導入された光は所定の臨界角度以上のときには内部に反射し、臨界角度以下のときには外部に出射される。一方、発光体４０の光は導光体３０内を通って端面３１Ｒに到達した光は反射体ＭＲの反射面ＭＲ１で反射され、反射された光は同様に所定の臨界角度以上のときには内部に反射し、臨界角度以下のときには外部に出射される。図８に矢印ｈａで示す光は導光体３０内で反射し読取りライン幅Ｗ方向に分散し、矢印ｈｂで示す光は光出射面３３から読取面Ｒに出射することとなる。尚図示しないが後述する発光体４０からは球方向（３６０度方向；図示のものは６０度広角方向）に光が入射され、光散乱面３２と光出射面３３に照射される。
【００３４】
［発光体／反射体の構成］
発光体４０（４１、４２、４３）は、図８で示す様に回路基板１６に面状発光素子（図示のものはＬＥＤ発光素子）がマウントされている。この発光素子をマウントした回路基板１６は発光面と導光体３０の端面３１Ｌ（３１Ｒ）との間にギャップｄを隔てて配置する。このギャップｄは２ミリが最適値して設定されている。尚、図９は発光体４０（４１、４２、４３）が回路基板１６にマウントされた状態での配置構造を示す。また発光体４０（４１、４２、４３）は面状発光素子で構成され、白色ＬＥＤで構成されている。
【００３５】
反射体ＭＲは図８で示す様に導光体３０の端面３１Ｒ面に圧接配置され、この反射体ＭＲは発光体４０の擬似光源として構成する。
【００３６】
また、図８で示す様に、導光体３０の一端３１Ｌに対しギャップｄ（０．２５ミリ）を隔て発光体４０を配置し、導光体３０の他端３１Ｒに反射体ＭＲ（ミラー）の反射面ＭＲ１を面接触させた構造と成っている。当然、発光体４０の光量は導光体３０を伝搬する過程で減衰し、導光体３０の他端３１Ｒ側の光量が低くなる為に、導光体３０の他端３１Ｒと接触する反射体ＭＲの接触角度λを適宜調整する。
【００３７】
実際に、図１０は上記の調整が行われた光源ユニットの光量分布特性を示した模式図で、導光体３０の一端３１Ｌに対峙する発光体４０の傾斜角度θ１が３°に対し、導光体３０の他端３１Ｒに接触する反射体ＭＲの反射面ＭＲ１の傾斜角度λ１も３°に設定調整している。尚、この発光体４０の傾斜角度θ１と反射面ＭＲ１の傾斜角度λ１は、発光体４０の光量と導光体３０の長さ及び透過率との関係で光量調整の結果異なることが有る。また、先に説明したコサイン４乗則の影響を補正する所望の光量特性をどの程度近接させるかその程度によるが、反射面ＭＲ１の傾斜角度λ１を３°以内で調整できない場合は、発光体４０の傾斜角度θ１と反射面ＭＲ１の傾斜角度λ１の調整に加え、導光体３０の光散乱面３２の反射体ＭＲ側近傍の幅を適宜広げることで調整することが出来る。
【００３８】
［光源の制御構成］
図２に従って前述した光源ユニット９の制御について説明すると、第１光源９ａと第２光源９ｂは図９に示すように第１プラテン３と第２プラテン３の読取面Ｒに光を照射する。この光源ユニット９ａ（９ｂ）は図示のように２つの光源で構成する必然性はなく、１本或いは３本以上の光源で構成しても良い。この場合、後述する原稿給送ユニットＢでは、第２プラテン２を走行する原稿の速度を、第１プラテン３に沿ってキャリッジ６が移動する速度より高速にしている。
【００３９】
つまり、第１プラテン３の読取り速度より第２プラテン２の読取り速度を高速にしている。このため原稿に照射する光量を第１プラテン３より第２プラテン２を高くすることが好ましい。
【００４０】
このような光量調整は次のいずれかの方法を採用することによって可能である。（１）キャリッジ６に搭載された光源ユニット９に供給する電力を高低調節する。例えば光源ユニット９に電源を供給する電源供給回路に供給電圧又は供給電流の切り換え手段を設け、ランプに供給する電力を高低調整する光量調整手段を設ける。この光量調整手段はＰＷＭ制御として広く知られているのでその詳細説明を省く。
【００４１】
次の方法は、（２）キャリッジ６に搭載された第１第２、少なくとも２つの光源ユニット９ａ、９ｂを選択的に点灯する光量調整手段を設ける。図２に示す装置はキャリッジ６に第１導光体３０ａと第２導光体３０ｂが搭載され、第１プラテン３上の原稿に光を照射する際には第１導光体３０ａに電源供給して第１プラテン３上の原稿に光を照射し、第２プラテン２上の原稿に光を照射する際には第１導光体３０ａと第２導光体３０ｂに電源供給して第２プラテン２上の原稿に光を照射するように構成されている。
【００４２】
このような構成においてキャリッジ６が第１プラテン３に位置するときには第１導光体３０ａを、第２プラテン２に位置するときには第１導光体３０ａと第２導光体３０ｂを点灯する。これによって原稿に照射する光量を調整することが可能となり、供給電源を「ＯＮ」「ＯＦＦ」するスイッチング回路が光量調整手段を構成することとなる。
【００４３】
上記集光レンズ７は１枚若しくは複数枚のレンズで構成され全体として凸レンズ（非球面レンズ）を形成している。そしてラインセンサ８はＣＣＤなどの光電変換素子で構成され、図示のものはＲ（赤）、Ｇ（緑）、Ｂ（青）、Ｗ（モノクロ）の４ラインから成るカラーセンサアレイで構成されている。尚、この集光レンズ７とラインセンサ８は、キャリッジ６に搭載する場合を示したが装置ハウジング１の例えば底部シャーシにマウントしても良い。この他キャリッジ６を第１第２、２つのキャリッジで構成し、第１キャリッジに光源ユニットと反射ミラーを搭載し、第２キャリッジに集光レンズとラインセンサを搭載するキャリッジ構成にしても良い。
【００４４】
従って、図２に示すように第１プラテン３と第２プラテン２は略々同一平面に配置され、その下方に位置するキャリッジ６は第１プラテン３と第２プラテン２の直下に位置移動自在にガイドシャフト１２に支持され、駆動モータＭＯで選択的に位置移動する。そしてキャリッジ６は第１プラテン３に沿って移動する過程で、この第１プラテン３にセットされた原稿を走査しラインセンサ８で画像を読み取る。これと同時にこのキャリッジ６は第１プラテン３から第２プラテン２の直下に移動し、この位置に静止した状態で第２プラテン上を所定速度で移動する原稿の画像を読み取ることが出来る。
【００４５】
［放熱部材の機能説明］
次に、放熱部材（ヒートシンク）１４の機能について説明する。図７に示す様に、バックアッププレート１７で耐熱シート（耐熱樹脂板）１５を介して発光体４０（４１、４２、４３）を取り付けた回路基板１６と一体的に取付けられた放熱部材１４は、発光体４０の発光で発生した熱を回路基板１６と耐熱シート１５を介し伝導され、発光体４０の熱を放熱することで、発光体４０の温度上昇を抑える機能を有している。その放熱部材１４の放熱能力は複数枚の放熱板（放熱フィン）の放熱面積と放熱部材の熱伝導率に依存され、キャリッジ６の様な小空間内で使用ことが出来るものは小型で放熱能力が小さく、長時間の発光体４０の点灯では十分な放熱効果を得られない場合がある。また、キャリッジ６を第１プラテン３に沿って移動させながら画像を読み取る所謂フラットベット読取モードに比べ、キャリッジ６を第２プラテン２の直下に固定し原稿給送ユニットＢが給送する原稿を読み取る所謂流し読取モード（シートスルー読取モード）では、放熱部材１４の放熱板同士の間に空気の対流が生じ難く十分な放熱効果を得られない場合がある。
【００４６】
［放熱部材（ヒートシンク）の冷却機構］
そこで、先に説明した図４及び図５で示す駆動モータＭＯには図１１で示す様に、前記フラットベット読取モード及び流し読取モードの両モードにおいて駆動モータＭＯの回転を使って回転可能にモータ回転軸に冷却ファンＦＡが取り付けられている。この冷却ファンＦＡは放熱部材１４に向けて風を与え放熱板同士の間に空気の対流を起こすためのもので、放熱部材１４の放熱能力を高め、発光体４０の温度上昇を抑えるためのもので、その放熱部材１４を空冷する方法について説明する。
【００４７】
先に説明した図４及び図５で示す様に、駆動モータＭＯの出力回転軸の一端にはキャリッジ牽引手段ＣＫのラックＬＫと歯合するピニオン歯車ＰＧと、歯車列の中間に電磁クラッチCRを介在させピニオン歯車ＰＧと出力回転軸とを駆動連結する歯車機構ＧＲを備え、出力回転軸の他端には回転検出用のエンコーダＥＤと、その外側に冷却ファンＦＡを備えている。そして、図１１で示す様な位置関係で放熱部材１４と冷却ファンＦＡがキャリッジ６に支持され装置ハウジング１に配置されている。そこで、発光体４０の点灯と共に駆動モータＭＯを回転し冷却ファンＦＡを回転すると、装置ハウジング１内に放熱部材１４の放熱板同士の間を通り抜ける空気の対流が生じ放熱部材１４の放熱効果を高めている。尚、空気の対流が生じ易い様に風循環フードＦＤが設けられ、冷却ファンＦＡからの風を放熱部材１４の放熱板同士間を通る空気の対流を起こす。また、図中二点鎖線で囲う放熱部材１４は他の実施例を簡易的に示したもので、図８において導光体３０の反射部材ＭＲに代え発光体４０を配置した際の放熱部材を示している。この場合には、駆動モータＭＯ一つで両サイドの放熱部材１４を冷却することが出来る。
【００４８】
[フラットベット読取モードでの冷却制御]
また、フラットベット読取モードでの冷却制御について説明すると、装置本体が接続されるパソコンに登録されているスキャナー起動ソフトを立ち上げ、そのソフトを使ってフラットベット読取モードを選択することで、装置本体の制御装置がキャリッジ６の読取走査と共に駆動モータＭＯの歯車機構ＧＲの電磁クラッチCRをON状態にして、駆動モータＭＯの回転をキャリッジ６に読取走査駆動と冷却ファンＦＡを回転させ放熱部材１４の冷却を行う。この際、特に冷却ファンＦＡは放熱部材１４の冷却の他に、キャリッジ６を往復動する駆動モータＭＯ自体の発熱による温度上昇を抑え、熱によるオーバーヒートで作動不良を起こさないようにしている。
【００４９】
[流し読取モードでの冷却制御]
次に、流し読取モードでの冷却制御について説明すると、立ち上げられたソフトを使って流し読取モードを選択することで、装置本体の制御装置がキャリッジ６を第２プラテン２の直下に移動し、その位置にキャリッジ６を停止させると共に駆動モータＭＯの歯車機構ＧＲの電磁クラッチCRをOＦＦ状態に切り替え、ピニオン歯車ＰＧへの駆動モータＭＯの回転切り、駆動モータＭＯの回転を冷却ファンＦＡのみに伝え回転させ放熱部材１４の冷却を行うことが出来る。この際、駆動モータＭＯはキャリッジ６を走査することが無いので、駆動モータＭＯの回転エネルギーの全てを冷却ファンＦＡによる放熱部材１４の冷却作用に使うことが出来、放熱部材１４の冷却と共に、第２プラテン２と導光体３０との隙間の間に空気の対流を起こすことで、第２プラテン２及び導光体３０の温度上昇を抑えることが出来、第２プラテン２及び導光体３０の経時変化による湾曲や材料の変質による透過性の劣化を抑えることが出来る。
【００５０】
［原稿搬送ユニットの構成］
原稿給送ユニットＢは図１に示すように上述の第１、第２プラテン３、２を覆うようにその上方に配置され、上記第２プラテン２に原稿シートを給送するリードローラ（原稿給送手段）２１と搬出ローラ２２とを備えている。更に上記リードローラ２１の上流側には原稿シートを積載収納する給紙スタッカ２３と、この給紙スタッカに積載されてシートを１枚ずつ分離給送する給紙ローラ２４と、分離給送されたシートの先端をスキュ修正するレジストローラ対２５が配置されている。図示２６は給紙スタッカ２３から第２プラテン２に原稿シートを案内する給紙経路であり、図示Ｓ１はプラテンに至る原稿の先端を検知するリードセンサである。
【００５１】
図示の装置は第２プラテン２の上方に原稿シートを案内するバックアップローラ２７が配置されている。このバックアップローラ２７はリードローラ２１と同一周速度で回転し第２プラテン２上に原稿シートをフィットさせる為であり、このバックアップローラ２７を設けることなくプラテン上方にバックアップカイドを配置しても良い。
【００５２】
上記搬出ローラ２２の下流側には排紙ローラ２８と排紙スタッカ２９が配置されている。この排紙スタッカ２９は図２に示すように給紙スタッカ２３の下方に上下並列に配置され、その底部には前述の第１プラテン３上の原稿シートを押圧支持するプラテンカバー５が設けられている。
【００５３】
このように構成された原稿給送ユニットＢは画像読取ユニットＡの装置ハウジング１に開閉自在に据え付けられている。そして第１プラテン３を開放した状態で原稿シートを載置セットし、この原稿給送ユニットＢのプラテンカバー５でこの原稿を覆うように構成されている。
【００５４】
上述の実施例では、導光体３０の一端面３１Ｌに発光体４０を、他端面３１Ｒに反射体ＭＲを配置構成した装置であるが、導光体３０の両端面に発光体４０を配置構成することも出来る。この場合、駆動モータＭＯに設けた冷却ファンによって生じた風が両発光体４０に設けられた各放熱部材１５を介し循環するように構成することで、一つの冷却ファンによって各放熱部材１５を冷却することが出来る。尚、冷却ファンの風を循環させるために偏向フードを設けることで冷却効果を高めることが出来る。
【符号の説明】
【００５５】
１    画像読取装置
２    第２のプラテン
３    第1のプラテン
６    キャリッジ
ＧＢ  ガイド部材
ＧＳ  ガイドシャフト
ＳＤ  スライダー部材
ＧＷ  軸受け部
ＭＯ  駆動モータ(自走式モータ)
ＦＡ  冷却ファン
ＦＤ  風循環フード
ＣＲ  電磁クラッチ
ＣＫ  キャリッジ牽引手段
ＹＡ  ワイヤー
ＴＢ  タイミングベルト
ＬＫ  ラック
ＰＧ  ピニオン歯車
１４  放熱部材（ヒートシンク）
【図４】
2011188166.tif 000003
【図８】
2011188166.tif 000004
【図１】
2011188166.tif 000005
【図２】
2011188166.tif 000006
【図３】
2011188166.tif 000007
【図５】
2011188166.tif 000008
【図６】
2011188166.tif 000009
【図７】
2011188166.tif 000010
【図９】
2011188166.tif 000011
【図１０】
2011188166.tif 000012
【図１１】
2011188166.tif 000013